(57)【要約】【課題】操作しやすく、電磁ノイズに影響されない洗濯機制御システムを提供する。【解決手段】端末装置２８と無線による通信を行う洗濯機において、洗濯機２９の運転や通信の制御を行う制御部３９と、洗濯機上部に配置し左右方向に延伸された操作表示部３７を備え、操作表示部は、電源を投入する電源入りスイッチ２６ｆと、運転コースの設定内容を表示する表示部２７と、端末装置と通信を行う洗濯機送受信部３８とを有し、制御部は、端末装置の端末送受信部３３から送信された運転コースの情報を洗濯機送受信部で受信し、運転コースの設定、表示、および運転の制御を行うとともに、電源入りスイッチは操作表示部の左右いずれか一側方に配置し、洗濯機送受信部は電源入りスイッチの配置位置とは反対側の操作表示部の左右いずれか一側方に配置したので、操作性に優れ、かつ、電磁ノイズの影響も無くした洗濯機制御システムを実現できる。【選択図】図１
2014000187.tif 000002
【特許請求の範囲】
【請求項１】
外部の端末装置と無線による通信を行う洗濯機において、前記洗濯機の運転や通信の制御を行う制御部と、前記洗濯機上部に配置し左右方向に延伸された運転コースの設定や表示を行う操作表示部を備え、前記操作表示部は、電源を投入する電源入りスイッチと、運転コースの設定内容を表示する表示部と、前記端末装置と通信を行う洗濯機送受信部とを有し、前記端末装置は、端末入力部、端末表示部、および前記洗濯機と通信を行う端末送受信部とを有し、前記制御部は、前記端末装置の前記端末送受信部から送信された運転コースの情報を前記洗濯機送受信部で受信し、運転コースの設定、表示、および運転の制御を行うとともに、前記電源入りスイッチは前記操作表示部の左右いずれか一側方に配置し、前記洗濯機送受信部は前記電源入りスイッチの配置位置とは反対側の前記操作表示部の左右いずれか一側方に配置した洗濯機制御システム。
【請求項２】
前記洗濯機送受信部は前記操作表示部の中心より左側部に配置し、前記電源入りスイッチは前記操作表示部の中心より右側部に配置した請求項１に記載の洗濯機制御システム。
【請求項３】
前記洗濯機送受信部は、前記操作表示部が有する傾斜面に配置した請求項１または２に記載の洗濯機制御システム。
【発明の詳細な説明】
【技術分野】
【０００１】
本発明は、洗濯兼脱水槽内に投入した衣類を洗濯する洗濯機を制御する制御システムに関するものである。
【背景技術】
【０００２】
従来、この種の洗濯機の制御は、制御部により、例えば、洗い、すすぎ、脱水などの一連の行程をプログラム制御する制御方式が提案されてきた（例えば、特許文献１参照）。
【０００３】
図９は、特許文献１に記載された従来の洗濯機の縦断面図、図１０は、同洗濯機のブロック回路図、図１１は、同洗濯機の操作部を示すものである。
【０００４】
図９において、洗濯機１は、略直方体に構成した筐体３を備えており、この筐体３の内部に、略円筒形に構成した水受け槽４を吊り棒５によって吊り下げ、この水受け槽４内に、略円筒形状に構成した洗濯兼脱水槽６を回転自在に内包している。洗濯兼脱水槽６の底部には、撹拌翼７を垂直方向に沿った軸の回りに回転自在に設けている。
【０００５】
水受け槽４外底部には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で撹拌翼７へ伝達する。
【０００６】
水受け槽４の上には、散水用の吐出部を形成するカバー体１０を設けている。また、筐体３の上方には、洗濯兼脱水槽６内に給水する給水弁１１を設けている。また、水受け槽４の下方には、水受け槽４内の洗濯水を排水する排水弁１２を設けている。
【０００７】
水受け槽４の外壁下部に接続部１３を設け、この接続部１３に水受け槽４の水位を検知する水位検知器１４を接続し、水位検知器１４は接続部１３における水圧を電気的な周波数に変換するよう構成している。
【０００８】
また、洗濯機１の前方上面には、操作部２を配設し、運転コース等のモードや各種機能の選択は、使用者が操作部２から入力部２６へ入力して行ない、洗濯機１の前方上面内方に設けられた制御部２２が、その入力情報を基に操作部２の表示部２７に表示して使用者に知らせる。
【０００９】
図１０において、モータ８は、インバータ回路１５によって駆動され、インバータ回路１５は、６個のスイッチング素子１６Ａ〜１６Ｆを有し、スイッチング素子１６Ａ〜１６Ｆは、パワートランジスタと逆導通ダイオードとによって構成される並列回路をそれぞれ有している。
【００１０】
電源１７は、ダイオードブリッジ１８とチョークコイル１９と平滑用コンデンサ２０とによって構成される直流電源変換装置を介してインバータ回路１５へ電圧を供給する。電源１７はまた、ポンプ６０、給水弁１１、排水弁１２、動力切換機構９とに電圧を供給する。
【００１１】
モータ８には、３個の位置検出器２１を設け、位置検出器２１は、モータ８の回転位置を検出する。
【００１２】
制御部２２は、回転制御部２３を有し、この回転制御部２３は、位置検出器２１によって検出されたモータ８の回転位置と、水位検知器１４によって検知された水受け槽４の水位とに基づいて、駆動回路２４を制御する。駆動回路２４は、回転制御部２３からの指示に基づいて、インバータ回路１５を駆動する。
【００１３】
ポンプ６０と給水弁１１と排水弁１２と動力切換機構９とは、負荷駆動部２５に接続しており、負荷駆動部２５は、制御部２２からの指示に基づいて、ポンプ６０と給水弁１１と排水弁１２と動力切換機構９とをそれぞれ駆動する。
【００１４】
操作部２は、洗い時間、すすぎ回数、脱水時間などを入力する入力部２６と、入力部２６に入力された洗い時間、すすぎ回数、脱水時間などを表示する表示部２７とを有する。
【００１５】
図１１において、入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。
【００１６】
また、入力部２６は、複数の基本運転コースと特別運転コースとのいずれかを選択する運転コース選択スイッチ２６ｈと、複数の基本運転コースと特別運転コースとのそれぞれに対応する複数の運転コース選択表示部２７ｅとを設けている。ここで、特別運転コースは、入力部２６に入力された洗い時間、すすぎ回数、脱水時間をそれぞれ変更することによって設定する。
【００１７】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。
【００１８】
「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００１９】
特別運転コースは、洗い時間、すすぎ回数、脱水時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００２０】
上記構成において動作を説明する。
【００２１】
運転コース選択スイッチ２６ｈを押すことによって、特別運転コースが選択されると、最も標準的な運転コースである「おまかせコース」に予め規定された洗い時間、すすぎ回数、脱水時間が、洗い時間表示部２７ａ、すすぎ回数表示部２７ｂ、脱水時間表示部２７
ｃに表示される。そして、使用者は、洗い時間表示部２７ａ、すすぎ回数表示部２７ｂ、脱水時間表示部２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２６ａ、すすぎ回数設定スイッチ２６ｂ、脱水時間設定スイッチ２６ｃをそれぞれ複数回押すことによって、特別運転コースを設定する。
【００２２】
その後、制御部２２は、入力部２６によって設定された特別運転コースに基づいて、洗い、すすぎ、脱水の一連の行程を実行するように、駆動回路２４と負荷駆動部２５とを制御する。
【先行技術文献】
【特許文献】
【００２３】
【特許文献１】特開２００２−１１９７８８号公報
【発明の概要】
【発明が解決しようとする課題】
【００２４】
しかしながら、前記従来の構成では、洗濯機が置かれている環境は照明が十分ではない場合が多く、その環境で、特別運転コースの、例えば「おまかせコース」の細かい設定を変更することは、決して楽な動作ではない。特に、高齢者にとっては、操作が非常にやりづらく感じられることもあるという課題があった。
【００２５】
本発明は、前記従来の課題を解決するもので、送受信の通信機能を持つことにより、洗濯機の前まで行って操作部のボタンを一々操作することなく、洗濯機から離れた環境の良い場所で設定できるという操作性に優れ、かつ、通信機能で問題となる電磁ノイズの影響も無くした洗濯機制御システムを提供することを目的とする。
【課題を解決するための手段】
【００２６】
前記従来の課題を解決するために、本発明の洗濯機制御システムは、外部の端末装置と無線による通信を行う洗濯機において、前記洗濯機の運転や通信の制御を行う制御部と、前記洗濯機上部に配置し左右方向に延伸された運転コースの設定や表示を行う操作表示部を備え、前記操作表示部は、電源を投入する電源入りスイッチと、運転コースの設定内容を表示する表示部と、前記端末装置と通信を行う洗濯機送受信部とを有し、前記端末装置は、端末入力部、端末表示部、および前記洗濯機と通信を行う端末送受信部とを有し、前記制御部は、前記端末装置の前記端末送受信部から送信された運転コースの情報を前記洗濯機送受信部で受信し、運転コースの設定、表示、および運転の制御を行うとともに、前記電源入りスイッチは前記操作表示部の左右いずれか一側方に配置し、前記洗濯機送受信部は前記電源入りスイッチの配置位置とは反対側の前記操作表示部の左右いずれか一側方に配置する構成としたものである。
【００２７】
これにより、使用者の操作性を向上することができるとともに、電磁ノイズの影響も受けずに送受信機能を確実に動作させて、誤動作を起こさないようにでき、使い勝手を向上することができる。
【発明の効果】
【００２８】
本発明の洗濯機制御システムは、使用者が操作し易く、かつ、電磁ノイズにより誤動作が生じないよう洗濯機の操作表示部の配置を行なうことにより、操作性と使い勝手を向上させることができる。
【図面の簡単な説明】
【００２９】
【図１】本発明の実施の形態１における洗濯機制御システムの斜視図
【図２】同洗濯機制御システムの洗濯機の縦断面図
【図３】同洗濯機制御システムのブロック回路図
【図４】同洗濯機制御システムの洗濯機の操作表示部を示す図
【図５】（ａ）同洗濯機制御システムの端末装置の端末操作部を示す図、（ｂ）同端末装置のネットコース設定内容を転送する手順を説明する端末操作部を示す図
【図６】同洗濯機制御システムの動作フローチャート
【図７】同洗濯機制御システムの洗濯機の電源ラインノイズ波形例を示すグラフ
【図８】本発明の実施の形態２におけるドラム式洗濯機の斜視図
【図９】従来の洗濯機の縦断面図
【図１０】同洗濯機のブロック回路図
【図１１】同洗濯機の操作部を示す図
【発明を実施するための形態】
【００３０】
第１の発明は、外部の端末装置と無線による通信を行う洗濯機において、前記洗濯機の運転や通信の制御を行う制御部と、前記洗濯機上部に配置し左右方向に延伸された運転コースの設定や表示を行う操作表示部を備え、前記操作表示部は、電源を投入する電源入りスイッチと、運転コースの設定内容を表示する表示部と、前記端末装置と通信を行う洗濯機送受信部とを有し、前記端末装置は、端末入力部、端末表示部、および前記洗濯機と通信を行う端末送受信部とを有し、前記制御部は、前記端末装置の前記端末送受信部から送信された運転コースの情報を前記洗濯機送受信部で受信し、運転コースの設定、表示、および運転の制御を行うとともに、前記電源入りスイッチは前記操作表示部の左右いずれか一側方に配置し、前記洗濯機送受信部は前記電源入りスイッチの配置位置とは反対側の前記操作表示部の左右いずれか一側方に配置することにより、使用者が操作し易く、かつ、洗濯機送受信部の配置を電磁ノイズを発生しやすい電源入りスイッチから適度に距離を離すことで、洗濯機送受信部が電磁ノイズなどの影響を受けることなく確実に送信された信号を受信できるものである。
【００３１】
第２の発明は、特に、第１の発明の洗濯機制御システムにおいて、前記洗濯機送受信部は前記操作表示部の中心より左側部に配置し、前記電源入りスイッチは前記操作表示部の中心より右側部に配置したので、利き手が右手である使用者にとっては操作がしやすくなるものである。
【００３２】
第３の発明は、特に、第１または第２の発明の洗濯機送受信部は、前記操作表示部が有する傾斜面に配置することにより、洗濯機送受信部に水が付着することが防止でき、そのため、通信時に洗濯機送受信部に近づける端末装置にも水が付着することがなく、通信障害を防止できる。
【００３３】
以下、発明の実施の形態について、図面を参照しながら説明する。なお、従来例と同じ構成のものは同一符号を付して説明を省略する。また、この実施の形態によって本発明が限定されるものではない。
【００３４】
（実施の形態１）
図１は、本発明の実施の形態における洗濯機制御システムの斜視図、図２は、同洗濯機制御システムの洗濯機の縦断面図、図３は、同洗濯機制御システムのブロック回路図を示すものである。
【００３５】
図１、図２において、洗濯機２９と端末装置２８とは、無線による通信にて接続されており、使用者は、洗濯機２９の操作表示部３７の入力部２６から操作して、表示部２７にて設定内容を確認して制御することができるとともに、端末装置２８を操作して、洗濯機
を制御することもできる。そのため、端末装置２８には、洗濯機２９と情報をやり取りする端末送受信部３３を有し、洗濯機２９の操作表示部３７には、端末装置２８と情報をやり取りする洗濯機送受信部３８を有している。
【００３６】
操作表示部３７は洗濯機２９の前方上面に左右方向に延伸された形状を有しており、洗濯機２９の前方上面にある傾斜面上に設けられている。また、洗濯機２９の前方上面内方には、洗濯機を制御する制御部３９が配設されている。また、図１において、端末送受信部３３は端末装置２８から突出しているが、このような形状に限らず、端末送受信部３３は端末装置２８の内部に内蔵されていてもよい。
【００３７】
図３において、端末装置２８は、端末操作部３０を備えており、この端末操作部３０には、ネットコース設定部３１と転送開始ボタン３２とを設けている。
【００３８】
ネットコース設定部３１は、洗い、すすぎ、脱水の一連の行程の少なくとも１つの行程の内容を変更することによって、洗濯機２９によって実行されるネットコースの内容を設定する。
【００３９】
端末送受信部３３は、ネットコース設定部３１によって設定されたネットコースの内容を表す情報を、無線による通信にて、洗濯機２９に送信する。ここで、端末操作部３０と端末送受信部３３へ電圧を供給する電源を有し、送信する際のエネルギーを用いて電力供給を行う、近年使用されている携帯電話などに利用されているＮＦＣ等での動作や、別途電源を持って電池によって構成してもよい。
【００４０】
ネットコース設定部３１は、端末表示部３４と端末入力部３５を有し、端末表示部３４にはネットコースで設定されている洗い、すすぎ、脱水の行程の内容が表示される。端末入力部３５によって、設定内容を変更できるようにしている。運転状態判定手段３６は、端末送受信部３３によって受信したデータによって、洗濯機２９の運転状態を判定するものである。
【００４１】
ここで、端末操作部３０は、タッチパネルによって構成しており、ネットコース設定部３１と転送開始ボタン３２を覆うように形成している。これらの端末送受信部３３は携帯電話そのもので代用可能である。なお、端末操作部３０については、後述する図５において、詳述する。
【００４２】
洗濯機２９には、制御部３９を設け、この制御部３９は、記憶部４０を有し、この記憶部４０は、洗濯機送受信部３８によって受信されたネットコースの内容を表す情報を記憶している。また、制御部３９は、洗濯機送受信部３８によって受信され、記憶部４０に記憶されたネットコースの内容を表す情報に基づいて、洗い、すすぎ、脱水の一連の行程をプログラム制御する。
【００４３】
図４は、本発明の実施の形態における洗濯機制御システムの洗濯機の操作表示部を示す図である。
【００４４】
図４において、操作表示部３７の入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチ２６ｄ、スタート・一時停止スイッチ２６ｅ、電源入りスイッチ２６ｆ、電源切りスイッチ２６ｇなどを有するとともに、既存コース選択スイッチ２６ｉを有している。
【００４５】
既存コース選択スイッチ２６ｉで洗濯機２９があらかじめ持っているコースのうちの一
つを選択し、スタート・一時停止スイッチ２６ｅで運転開始を指示し、電源入りスイッチ２６ｆ、電源切りスイッチ２６ｇで洗濯機２９の電源を入れたり切ったりすることができる。また、既存コース選択スイッチ２６ｉで選択したコースの洗い時間、すすぎ回数、脱水時間を、洗い時間設定スイッチ２６ａ、すすぎ回数設定スイッチ２６ｂ、脱水時間設定スイッチ２６ｃを押すことによって、変更設定して運転することもできる。
【００４６】
表示部２７は、洗い時間表示部２７ａ、すすぎ回数表示部２７ｂ、脱水時間表示部２７ｃ、乾燥時間表示部２７ｄなどを有するとともに、端末装置２８にてネットコースが選択された場合に点灯するネットコース表示部２７ｆを有している。
【００４７】
さらに、洗濯機送受信部３８を有しており、ネットコースの内容を入力して設定した端末装置２８をこの洗濯機送受信部３８に近づけると、端末装置２８に設けた端末送受信部３３によって情報が送信され、洗濯機２９に入力される。なお、洗濯機送受信部３８は、操作表示部３７横方向の中央に対して、右側部に設けた電源入りスイッチ２６ｆの反対側である左側部に配置してある。
【００４８】
ここで、操作表示部３７における洗濯機送受信部３８の配置についてであるが、操作表示部３７の中で、電源入りスイッチ２６ｆには、電源電圧１００Ｖのラインが配線されている構成となっている。この電源ラインには、他の機器と同じ系列のコンセントなどを使用した場合には、電源に、図７に示すようなノイズ成分が多く重畳されている状態になることもあり、通信を行う際には、そのノイズ成分の影響や、メイン電流が流れることによる磁界の影響などを受けることが想定される。
【００４９】
また、使用者に多く見られる利き手が右手の場合に、右手で操作がしやすいように、電源入りスイッチ２６ｆなどの電源を入り切りするスイッチは右側部に配置されており、安全面から見ても早くアクションが必要なものを優先して右側に配置している。
【００５０】
たとえば、利き手が右手の場合、例えば端末装置２８が携帯電話からなるときには、利き手と反対の左手で携帯電話を持ちながら、洗濯機側の設定作業を利き手である右手で操作することになる。
【００５１】
端末装置２８で設定された動作条件を洗濯機２９の洗濯機送受信部３８に送信する際に、その近傍に端末装置２８を近づける動作を行う。この近づける動作を行う使用者の手は左手になる。左手で近傍に近づける動作を行うにあたっては、中央よりも左側部に洗濯機送受信部３８を配置すれば使いやすくなる。
【００５２】
洗濯機２９の横幅は、本実施の形態では、６４０ｍｍ程度であるが、およそ５２０ｍｍ〜６４０ｍｍの間で形成されるのが一般的である。ここで、電源入りスイッチ２６ｆは操作表示部３７の左右いずれか一側方に配置し、洗濯機送受信部３８を電源入りスイッチ２６ｆの配置位置とは反対側の操作表示部３７の左右いずれか一側方に配置するようにしたので、洗濯機送受信部３８の位置は、電源入りスイッチ２６ｆに対して、２００ｍｍ以上離すことができるようになり、電源入りスイッチ２６ｆ周辺から発生するノイズに対して、通信障害を受けにくい距離が十分に確保できることになる。
【００５３】
なお、端末装置２８に設けた端末送受信部３３と洗濯機２９に設けた洗濯機送受信部３８とは、たとえば、ＮＦＣに基づいて情報を送受信する。
【００５４】
図５（ａ）は、本発明の実施の形態における洗濯機制御システムの端末装置２８の端末操作部を示す図、（ｂ）同端末装置２８のネットコース設定内容を転送する手順を説明する端末操作部を示す図である。
【００５５】
図５（ａ）、（ｂ）において、端末装置２８の端末操作部３０の電源ボタン６１を押した後、ネットコース設定部３１にて、端末入力部３５の切換ボタン３５ａ、３５ｂ、３５ｃを押すことにより、ネットコースの洗い時間、すすぎ回数、脱水時間を設定することができ、その設定内容を端末表示部３４で確認することができる。そして、転送開始ボタン３２を押すことにより、設定内容を洗濯機２９に送信することができる。転送開始ボタン３２については、図６の動作フローチャートにて後述する。なお、端末装置２８は、携帯電話の機能として、専用アプリを有して対応することで、その動作を行うこともできる。
【００５６】
以上のように構成された洗濯機制御システムについて、その動作、作用を説明する。
【００５７】
図６は、本発明の実施の形態における洗濯機制御システムの動作フローチャートである。
【００５８】
図６において、端末装置２８の端末操作部３０に設けた電源ボタン６１を押すと、ステップ４１にて、図５（ａ）に示すように、ネットコース設定内容がネットコース設定部３１に設けた端末表示部３４に表示される。
【００５９】
つぎに、ステップ４２にて、ネットコース設定内容の初期値から、洗い時間、すすぎ回数、脱水時間のいずれを変更するかを判定する。ステップ４３では、洗い時間が変更された場合を示している。図５（ａ）に示す例では、端末入力部３５であるタッチパネルにユーザがタッチすることによって、洗い時間「６分」が洗い時間「９分」に変更された例を示している。
【００６０】
ステップ４４では、すすぎ回数が変更された場合を示している。図５（ａ）に示す例では、端末入力部３５であるタッチパネルにユーザがタッチすることによって、すすぎ回数「１回」がすすぎ回数「２回」に変更された例を示している。
【００６１】
ステップ４５では、脱水時間が変更された場合を示している。図５（ａ）に示す例では、端末入力部３５であるタッチパネルにユーザがタッチすることによって、脱水時間「３分」が脱水時間「７分」に変更された例を示している。
【００６２】
このとき、ステップ４６のように、洗濯機２９の電源は切状態である。電源が切れているので、洗濯機２９は受信できる状態（受信可能状態）になっていない。そのため、図５（ａ）に示すように、転送開始ボタン３２は表示されていない。
【００６３】
つぎに、ステップ４７にて、洗濯機２９の電源入りスイッチ２６ｆを押すことによって、洗濯機２９の電源を入れる。ステップ４８にて、洗濯機２９は洗濯機送受信部３８により電源入データを端末装置２８へ送信する。
【００６４】
ステップ４９にて、端末装置２８は、運転状態判定手段３６により洗濯機２９の電源が入ったことを認知する。つまり、洗濯機２９は受信可能状態になったことを認知する。その結果、ステップ５０にて、図５（ｂ）に示すように、端末操作部３０に転送開始ボタン３２を表示する。
【００６５】
つぎに、ステップ５１にて、使用者が転送開始ボタン３２を押すと、ＮＦＣの場合には、端末装置２８を洗濯機送受信部３８に近づける（ステップ５２）ことで、ステップ５３にて、端末送受信部３３からネットコース設定の全データを洗濯機２９へ送信する。
【００６６】
ステップ５４にて、洗濯機２９は洗濯機送受信部３８によってネットコース設定の全デ
ータを受信する。つぎに、ステップ５５にて、記憶部４０にネットコース設定の全データを記憶するとともに、ステップ５６にて、操作表示部３７のネットコース表示部２７ｆを点灯させる。記憶部４０は不揮発性であるため、洗濯機２９の電源が遮断されても、全データを保存することができる。
【００６７】
つぎに、ステップ５７にて、スタート・一時停止スイッチ２６ｅを押すことで、洗濯機２９は、受信したネットコース設定内容に基づいたシーケンスを運転する。なお、端末装置２８の端末操作部３０に設けたスタートボタン６２を押すことでも、洗濯機２９はシーケンスを運転することができる。
【００６８】
（実施の形態２）
図８は、本発明の実施の形態におけるドラム式洗濯機の斜視図である。図中の符号について、図１〜図７と同じ内容を意味するものについては同じ番号で示してある。
【００６９】
洗濯機２９と端末装置２８とは、図１と同様に無線による通信にて接続されており、使用者は、洗濯機２９の操作表示部３７の入力部２６から操作して、表示部２７にて設定内容を確認して制御することができるとともに、端末装置２８を操作して、洗濯機を制御することもできる。そのため、端末装置２８には、洗濯機２９と情報をやり取りする端末送受信部３３を有し、洗濯機２９の操作表示部３７には、端末装置２８と情報をやり取りする洗濯機送受信部３８を有している。
【００７０】
操作表示部３７は洗濯機２９の前方上面に左右方向に延伸された形状を有しており、洗濯機２９の前方上面にある傾斜面上に設けられている。また、洗濯機２９の前方上面内方には、洗濯機を制御する制御部３９が配設されている。表示部や操作部、洗濯機送受信部３８の具体的な配置例は、図４に示すようなものであってもよい。
【００７１】
具体的な動作については、実施の形態１と同様なので、詳細な説明は省略する。
【００７２】
ネットコースの内容を入力して設定した端末装置２８をこの洗濯機送受信部３８に近づけると、端末装置２８に設けた端末送受信部３３によって情報が送信され、洗濯機送受信部３８を介して洗濯機２９に入力される。なお、洗濯機送受信部３８は、操作表示部３７横方向の中央に対して、右側部に設けた電源入りスイッチ２６ｆの反対側である左側部に配置してある。
【００７３】
ここで、操作表示部３７における洗濯機送受信部３８の配置についてであるが、実施の形態１と同様に、電源に、図７に示すようなノイズ成分が多く重畳されている状態になることもあり、通信を行う際には、そのノイズ成分の影響や、メイン電流が流れることによる磁界の影響などを受けることが想定される。
【００７４】
そこで、通信に対する電源のノイズ成分の影響や次回の影響を受けないようにするために、電源入りスイッチ２６ｆは操作表示部３７の左右いずれか一側方に配置し、洗濯機送受信部３８を電源入りスイッチ２６ｆの配置位置とは反対側の操作表示部３７の左右いずれか一側方に配置するようにしたので、洗濯機送受信部３８の位置は、電源入りスイッチ２６ｆに対して、距離を十分に離すことができるようになり、電源入りスイッチ２６ｆ周辺から発生するノイズに対して、通信障害を受けにくい距離が十分に確保できることになる。
【００７５】
また、使用者に多く見られる利き手が右手の場合に、右手で操作がしやすいように、電源入りスイッチ２６ｆなどの電源を入り切りするスイッチは右側部に配置されており、安全面から見ても早くアクションが必要なものを優先して右側に配置している。
【００７６】
たとえば、利き手が右手の場合、例えば端末装置２８が携帯電話からなるときには、利き手と反対の左手で携帯電話を持ちながら、洗濯機側の設定作業を利き手である右手で操作することになる。
【００７７】
端末装置２８で設定された動作条件を洗濯機２９の洗濯機送受信部３８に送信する際に、その近傍に端末装置２８を近づける動作を行う。この近づける動作を行う使用者の手は左手になる。左手で近傍に近づける動作を行うにあたっては、中央よりも左側部に洗濯機送受信部３８を配置すれば使いやすくなる。
【００７８】
以上のように本実施の形態においては、洗濯機と端末装置で情報の通信を行なって行程制御するとともに、洗濯機の洗濯機送受信部は、操作表示部の中心より左側部に配置し、電源入りスイッチは操作表示部の右側部に配置することにより、使用者が洗濯機から離れた場所でも設定できるので操作し易く、かつ、洗濯機送受信部が、電磁ノイズなどの影響を受けることなく確実に情報の送受信が行える。
【００７９】
また、洗濯機送受信部は、操作表示部の傾斜面に配置することにより、洗濯機送受信部に水が付着するのを防止でき、そのため、送信時に洗濯機送受信部に近づける端末装置にも水が付着することがなく、通信障害を防止できる。
【００８０】
なお、本実施の形態では、端末装置を洗濯機の洗濯機送受信部に近づけて通信する制御システムを述べたが、赤外線または電波を利用した短距離無線通信技術によって接続されていてもよい。
【００８１】
また、本実施の形態においては、洗濯機の場合の制御システムについて説明したが、プログラム制御される機器は洗濯機に限定するものでなく、マイクロコンピュータを用いてプログラム制御するものであればよく、同様の作用、効果を得ることができる。
【産業上の利用可能性】
【００８２】
以上のように、本発明にかかる洗濯機制御システムは、端末装置との情報を送受信する洗濯機送受信部を、適切に配置することにより、操作しやすく、電磁ノイズなどの影響を受けないようにすることができるので、電子制御を行なう他の電気機器の用途に適用できる。
【符号の説明】
【００８３】
２６ｆ  電源入りスイッチ
２７  表示部
２８  端末装置
２９  洗濯機
３３  端末送受信部
３４  端末表示部
３５  端末入力部
３７  操作表示部
３８  洗濯機送受信部
３９  制御部
【図１】
2014000187.tif 000003
【図２】
2014000187.tif 000004
【図３】
2014000187.tif 000005
【図４】
2014000187.tif 000006
【図５】
2014000187.tif 000007
【図６】
2014000187.tif 000008
【図７】
2014000187.tif 000009
【図８】
2014000187.tif 000010
【図９】
2014000187.tif 000011
【図１０】
2014000187.tif 000012
【図１１】
2014000187.tif 000013